(57)【要約】【課題】装置内部を目視することができ、充填剤の種類・質・量などを作業現場において一目で確認することができるポンプ方式の充填剤注入装置を提供する。【解決手段】充填剤を注入するためのポンプ方式の充填剤注入装置であって、シリンダー、ハンドル、ピストン、注入口、注入用の充填剤を備え、シリンダーの内部には充填剤が入れられ、シリンダーの外にあるハンドルを回すと、ハンドルと一体的に連結されたシリンダー内のねじ軸が回転して、このねじ軸と一体的に連結されたピストンを移動させ、ピストンがシリンダー内の充填剤を注入口を通して外部に押し出す構造を備え、シリンダーは、透明または半透明の材料から構成される。【選択図】      図２
0003141618.tif 000002
【実用新案登録請求の範囲】
【請求項１】
充填剤を注入するためのポンプ方式の充填剤注入装置であって、
シリンダー、ハンドル、ピストン、注入口、注入用の充填剤を備え、
前記シリンダーの内部に前記充填剤が入れられ、前記シリンダーの外にある前記ハンドルを回すと、前記ハンドルと一体的に連結された前記シリンダー内のねじ軸が回転して、このねじ軸と一体的に連結された前記ピストンを移動させ、前記ピストンがシリンダー内の充填剤を前記注入口を通して外部に押し出す構造を備え、
前記シリンダーは、透明または半透明の材料から構成される、ことを特徴とする充填剤注入装置。
【請求項２】
請求項１に記載の充填剤注入装置において、
前記シリンダーは、ポリカーボネートから構成される、ことを特徴とする充填剤注入装置。
【考案の詳細な説明】
【技術分野】
【０００１】
本考案は、アルミニウム・銅などの金属製の圧縮接続管(スリーブ)を用意して、その圧縮接続管の両端に接続すべき電線の端部を挿入し、その圧縮接続管を電線諸共に圧縮する電線と圧縮接続管との接続作業において、圧縮接続管−電線間への水の侵入による腐食、あるいは異種金属間の接触による電食などを防止するために、圧縮接続管内に粘性を持った充填剤(コンパウンド)を注入するための充填剤注入装置に関するものである。
【背景技術】
【０００２】
図１は、ポンプ方式の充填剤注入装置１０を用いて、電線接続管２０に充填剤Ｃ１を注入する状況を示す説明図である。
充填剤注入装置１０は、円筒立体形状のシリンダー１１、ハンドル１６、前方キャップ１２、後方キャップ１３、ピストン１４、注入口(口金)１５などの構成部材を備えるポンプ方式の注入装置である。
【０００３】
シリンダー１１の内部には注入用の充填剤Ｃ１が入れてあり、このシリンダー１１の外にあるハンドル１６を回すと、ハンドル１６と一体的に連結されたシリンダー１１内のねじ軸１６ａが回転して、ねじ軸１６ａと一体的に連結されたピストン１４を、後方から前方へと移動させ、このピストン１４がシリンダー１１内の充填剤Ｃを注入口(口金)１５を通して外部に押し出す構造を備えている。
ここで、電線接続管２０は、内部に電線挿入部２２を備え、外部からその電線挿入部２２内に貫通するめねじ孔２１が設けられているので、このめねじ孔２１を通して、シリンダー１１内の充填剤Ｃ１を電線接続管２０内に注入することができる。
【０００４】
本考案の技術分野に係わる特許文献としては、例えば次のようなものがある。
【特許文献１】特開平１０−４７２３５号公報
【特許文献２】特開平０６−４１０８８号公報
【特許文献３】実公平０４−５３１２９号公報
【考案の開示】
【考案が解決しようとする課題】
【０００５】
従来のポンプ方式の充填剤注入装置１０では、シリンダー１１、前方キャップ１２、後方キャップ１３は、鉄製の材料から構成されているので、装置１０の内部を目視により見ることはできなかった。
したがって、充填剤注入装置内に充填剤がどの程度量投入されていのかを、目で見て確認することはできなかった。また、電線接続管にどの程度の量が挿入されたかの確認を、写真などに撮って工事記録として残すことが出来なかった。
電線接続管と電線との圧縮接続作業は、地上のみならず鉄塔上や宙乗り状態で行われるので、作業現場で充填剤の種類・品質・量などを一目で確認することは、大変重要な事項である。
【０００６】
本考案は、上述のような問題を解決するためになされたものであり、ポンプ方式の充填剤注入装置１０において、装置の内部を目視することができ、充填剤の種類・品質・量などを作業現場において一目で確認することができる装置を提供することをその目的としている。
【課題を解決するための手段】
【０００７】
（１）充填剤を注入するためのポンプ方式の充填剤注入装置であって、
シリンダー、ハンドル、ピストン、注入口、注入用の充填剤を備え、
前記シリンダーの内部には前記充填剤が入れられ、前記シリンダーの外にある前記ハンドルを回すと、前記ハンドルと一体的に連結された前記シリンダー内のねじ軸が回転して、このねじ軸と一体的に連結された前記ピストンを移動させ、前記ピストンがシリンダー内の充填剤を前記注入口を通して外部に押し出す構造を備え、
前記シリンダーは、透明または半透明の材料から構成される。
（２）(１)の充填剤注入装置において、
前記シリンダーは、ポリカーボネートから構成される。
【考案の効果】
【０００８】
装置のシリンダー (カートリッジ) 部分を透明または半透明にすることにより、充填剤の種類・品質・量などの確認が容易となり、写真記録が取れることによって、施工管理の向上が可能となった。
近年の送電工事においては、施工記録を詳細にまとめ、将来の維持管理のための資料とする動きが高まっているが、本考案の充填剤注入装置は、目で見る管理としてこのニーズに対応することができる。
【考案を実施するための最良の形態】
【０００９】
本考案の充填剤注入装置の実施の形態について、図２を用いて説明する。
図２は、本考案の充填剤注入装置の一実施形態に係る図であり、ポンプ方式の充填剤注入装置２０の構成を、一部に断面を含んで示す図である。
ここでの充填剤注入装置２０は、円筒立体形状のシリンダー２１、ハンドル２６、前方キャップ２２、後方キャップ２３、ピストン２４、注入口(口金)２５の構成部材を備えている。
【００１０】
この充填剤注入装置２０のシリンダー２１の内部には注入用の充填剤Ｃ２が封入配置されており、このシリンダー２１の外にあるハンドル２６を回すと、ハンドル２６と一体的に連結されたシリンダー２１内のねじ軸２６ａが回転して、ねじ軸２６ａの先端と一体的に連結されたピストン２４を後方から前方へと移動させ、このピストン２４がシリンダー２１内の充填剤Ｃ２を、注入口(口金)２５を通して外部に押し出す構造を備えている。
【００１１】
また、この充填剤注入装置２０では、ピストン２４は、六角ナットａ・平座金ｂ・パッキンｃ・平座金ｄを備えて構成されており、前方キャップ２２において後方から移動してくるピストン２４の先端が当接する位置には、パッキン２７が配設されている。
【００１２】
本考案の充填剤注入装置２０では、シリンダー２１は、透明または半透明の材料から構成されている。このような透明または半透明の材料としては、樹脂、プラスチック、ガラスなどを用いることができる。
ここで、シリンダー２１の材料として、とりわけ「ポリカーボネート」を採用するとすれば、次のような特徴が得られる。
・半透明であるので、シリンダー内の中身の確認が容易にできる。
・耐寒性に優れているので、寒冷地での適用の面で信頼性を高められる。
・機械的な強度に優れている。
・衝撃に強い。
・加工性に優れ、製作しやすい。
【００１３】
上述のように、本考案の充填剤注入装置では、シリンダーが透明または半透明の材料から構成されているので、次のような顕著な効果が得られる。
・圧縮接続管の圧縮接続作業や施工の際に、充填剤の容量が目視で容易に確認でき、充填すべき量や充填された量の確認も容易にできる。
・シリンダーの内部を写真に録って記録できることで施工管理記録が可能となる。
・シリンダーをポリカーボネートとすれば、本充填剤注入装置を耐寒性や耐衝撃性に優れた装置として提供でき、寒冷地での安全な施工作業が実現できる。
・目視や視認による管理が容易に可能となり、充填剤不足による経年劣化を未然に防ぐことが可能となる。
・複数のメーカーが納入している場合に、指定の充填剤が使用されているかどうかを容易に確認することが可能となる。
【図面の簡単な説明】
【００１４】
【図１】従来における充填剤注入装置の構造、およびこの充填剤注入装置を用いて電線接続管に充填剤を注入する様子を示す図である。
【図２】本考案による充填剤注入装置を示す図であり、一部に断面を含む構成説明図である。
【符号の説明】
【００１５】
２０    充填剤注入装置
２１    シリンダー（カートリッジ）
２２    前方キャップ
２３    後方キャップ
２４    ピストン
２５    注入口(口金)
２６    ハンドル
２６ａ    ねじ軸
Ｃ２    充填剤
【図１】
0003141618.tif 000003
【図２】
0003141618.tif 000004